【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
ワイヤレスデバイスにおける通信の方法であって、
受信された送信中で複数のコードブロック（ＣＢ）を受信することと、
前記複数のＣＢのうちの各ＣＢに対するハイブリッド自動再送要求（ＨＡＲＱ）肯定応答／否定応答（ＡＣＫ／ＮＡＣＫ）フィードバックを決定することと、
前記複数のＣＢのためのＮＡＣＫの数を決定することと、
前記複数のＣＢ中のＣＢの数を決定することと、
前記ＮＡＣＫの数と前記ＣＢの数とに少なくとも部分的に基づいて、２つ以上の利用可能なフォーマットから、前記ＨＡＲＱ  ＡＣＫ／ＮＡＣＫフィードバックを送信するためのフォーマットを識別すること、ここにおいて、前記２つ以上の利用可能なフォーマットは、非圧縮フォーマットと１つまたは複数の圧縮フォーマットとを備える、と、
前記識別されたフォーマットを使用して前記ＨＡＲＱ  ＡＣＫ／ＮＡＣＫフィードバックを送信することと
を備え、前記非圧縮フォーマットは、前記ＣＢの数がＣＢのしきい値数よりも少ないときに前記ＨＡＲＱ  ＡＣＫ／ＮＡＣＫフィードバックを送信するための前記フォーマットとして識別され、前記１つまたは複数の圧縮フォーマットのうちの１つは、前記ＣＢの数がＣＢの前記しきい値数を満たすかまたはそれを超えるときに前記ＨＡＲＱ  ＡＣＫ／ＮＡＣＫフィードバックを送信するための前記フォーマットとして識別される、
方法。
【請求項２】
ＣＢの前記しきい値数は、前記ＨＡＲＱ  ＡＣＫ／ＮＡＣＫフィードバックの送信のための利用可能なリソースに基づいて決定される、
請求項１に記載の方法。
【請求項３】
前記ＨＡＲＱ  ＡＣＫ／ＮＡＣＫフィードバックを送信するための前記フォーマットは、ＮＡＣＫフィードバックを有するＣＢの数に少なくとも部分的に基づいて動的に選択される、
請求項１に記載の方法。
【請求項４】
前記ＨＡＲＱ  ＡＣＫ／ＮＡＣＫフィードバックを送信するための前記フォーマットは、前記複数のＣＢの前記送信に関連するチャネル状態に少なくとも部分的に基づいて半静的に選択される、
請求項１に記載の方法。
【請求項５】
前記ＨＡＲＱ  ＡＣＫ／ＮＡＣＫフィードバックを送信するための前記フォーマットは、無線リソース制御（ＲＲＣ）シグナリングを使用してシグナリングされる、
請求項４に記載の方法。
【請求項６】
前記フォーマットを選択することは、
ＲＲＣシグナリングを使用してシグナリングされるフォーマットのグループから前記フォーマットを選択することをさらに備える、
請求項４に記載の方法。
【請求項７】
前記送信は、
前記選択されたフォーマットのインジケーションをさらに備える、
請求項１に記載の方法。
【請求項８】
前記２つ以上の利用可能なフォーマットから第１のフォーマットを選択することと、
前記第１のフォーマットについて、前記ＣＢの数がＣＢのしきい値数よりも少ないのかどうかを決定すること、ここにおいて、前記識別は、前記選択と前記決定とに少なくとも部分的に基づく、と
をさらに備える、請求項１に記載の方法。
【請求項９】
前記２つ以上の利用可能なフォーマットから第２のフォーマットを選択することと、
前記第２のフォーマットのための前記ＣＢの数がＣＢの前記しきい値数を満たすかまたはそれを超えると決定すること、ここにおいて、前記識別は、前記第２のフォーマットのための前記ＣＢの数が前記ＣＢしきい値を満たすかそれを超えるという前記決定の後に行われる、と
をさらに備える、請求項８に記載の方法。
【請求項１０】
ワイヤレスデバイスにおけるワイヤレス通信のための装置であって、
受信された送信中で複数のコードブロック（ＣＢ）を受信するための手段と、
前記複数のＣＢのうちの各ＣＢに対するハイブリッド自動再送要求（ＨＡＲＱ）肯定応答／否定応答（ＡＣＫ／ＮＡＣＫ）フィードバックを決定するための手段と、
前記複数のＣＢのためのＮＡＣＫの数を決定するための手段と、
前記複数のＣＢ中のＣＢの数を決定するための手段と、
前記ＮＡＣＫの数と前記ＣＢの数とに少なくとも部分的に基づいて、２つ以上の利用可能なフォーマットから、前記ＨＡＲＱ  ＡＣＫ／ＮＡＣＫフィードバックを送信するためのフォーマットを識別するための手段、ここにおいて、前記２つ以上の利用可能なフォーマットは、非圧縮フォーマットと１つまたは複数の圧縮フォーマットとを備える、と、
前記識別されたフォーマットを使用して前記ＨＡＲＱ  ＡＣＫ／ＮＡＣＫフィードバックを送信するための手段と
を備え、前記非圧縮フォーマットは、前記ＣＢの数がＣＢのしきい値数よりも少ないときに前記ＨＡＲＱ  ＡＣＫ／ＮＡＣＫフィードバックを送信するための前記フォーマットとして識別され、前記１つまたは複数の圧縮フォーマットのうちの１つは、前記ＣＢの数がＣＢの前記しきい値数を満たすかまたはそれを超えるときに前記ＨＡＲＱ  ＡＣＫ／ＮＡＣＫフィードバックを送信するための前記フォーマットとして識別される、
装置。
【請求項１１】
前記フォーマットを前記識別するための手段は、
無線リソース制御シグナリングを使用してシグナリングされるフォーマットのグループから前記フォーマットを選択するための手段をさらに備える、
請求項１０に記載の装置。
【請求項１２】
前記２つ以上の利用可能なフォーマットから第１のフォーマットを選択するための手段と、
前記第１のフォーマットについて、前記ＣＢの数がＣＢのしきい値数よりも少ないのかどうかを決定するための手段、ここにおいて、前記識別は、前記選択と前記決定とに少なくとも部分的に基づく、と
をさらに備える、請求項１０に記載の装置。
【請求項１３】
前記２つ以上の利用可能なフォーマットから第２のフォーマットを選択するための手段と、
前記第２のフォーマットのための前記ＣＢの数がＣＢの前記しきい値数を満たすかまたはそれを超えると決定するための手段、ここにおいて、前記識別は、前記第２のフォーマットのための前記ＣＢの数が前記ＣＢしきい値を満たすかそれを超えるという前記決定の後に行われる、と
をさらに備える、請求項１２に記載の装置。
【請求項１４】
前記送信するための手段は、
前記選択されたフォーマットのインジケーションをさらに備える、
請求項１０に記載の装置。
【請求項１５】
ワイヤレスデバイスにおける通信のためのコードを記憶する非一時的コンピュータ可読媒体であって、前記コードが、請求項１乃至９のいずれか１項に従う方法を実行することが可能な命令を備える、非一時的コンピュータ可読媒体。
【手続補正２】
【補正対象書類名】明細書
【補正対象項目名】０１５２
【補正方法】変更
【補正の内容】
【０１５２】
[0166]本開示の前述の説明は、当業者が本開示を作成または使用することを可能にするために提供される。本開示の様々な変更は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に、本願出願の当初の特許請求の範囲に記載された発明を付記する。
［Ｃ１］
ワイヤレスデバイスにおける通信の方法であって、
受信された送信中で複数のコードブロック（ＣＢ）を受信することと、
前記複数のＣＢのうちの各ＣＢに対するハイブリッド自動再送要求（ＨＡＲＱ）肯定応答／否定応答（ＡＣＫ／ＮＡＣＫ）フィードバックを決定することと、
２つ以上の利用可能なフォーマットから、前記ＨＡＲＱ  ＡＣＫ／ＮＡＣＫフィードバックを送信するためのフォーマットを識別することと、
前記識別されたフォーマットを使用して前記ＨＡＲＱ  ＡＣＫ／ＮＡＣＫフィードバックを送信することと
を備える、方法。
［Ｃ２］
前記ＨＡＲＱ  ＡＣＫ／ＮＡＣＫフィードバックを送信するための前記フォーマットを識別することは、
前記複数のＣＢのためのＮＡＣＫの数を決定することと、
前記複数のＣＢ中のＣＢの数を決定することと、
前記ＮＡＣＫの数と前記ＣＢの数とに少なくとも部分的に基づいて前記ＨＡＲＱ  ＡＣＫ／ＮＡＣＫフィードバックを送信するための前記フォーマットを識別することと
を備える、［Ｃ１］に記載の方法。
［Ｃ３］
前記２つ以上の利用可能なフォーマットは、非圧縮フォーマットと１つまたは複数の圧縮フォーマットとを備える、
［Ｃ２］に記載の方法。
［Ｃ４］
前記非圧縮フォーマットは、前記ＣＢの数がＣＢのしきい値数よりも少ないときに前記ＨＡＲＱ  ＡＣＫ／ＮＡＣＫフィードバックを送信するための前記フォーマットとして識別され、前記１つまたは複数の圧縮フォーマットのうちの１つは、前記ＣＢイズの数がＣＢの前記しきい値数を満たすかまたはそれを超えるときに前記ＨＡＲＱ  ＡＣＫ／ＮＡＣＫフィードバックを送信するための前記フォーマットとして識別される、
［Ｃ３］に記載の方法。
［Ｃ５］
ＣＢの前記しきい値数は、前記ＨＡＲＱ  ＡＣＫ／ＮＡＣＫフィードバックの送信のための利用可能なリソースに基づいて決定される、
［Ｃ４］に記載の方法。
［Ｃ６］
前記ＨＡＲＱ  ＡＣＫ／ＮＡＣＫフィードバックを送信するための前記２つ以上の利用可能なフォーマットは、
各ＣＢに関連する専用ビットを有する第１のフォーマットと、
ＮＡＣＫフィードバックを有するＣＢの数とＮＡＣＫフィードバックを有するＣＢの組合せを識別するインデックスとのインジケーションを提供する第２のフォーマットと
を備える、［Ｃ１］に記載の方法。
［Ｃ７］
前記第２のフォーマットは、前記ＣＢの数よりも少ない複数のビットを含む、
［Ｃ６］に記載の方法。
［Ｃ８］
前記ＨＡＲＱ  ＡＣＫ／ＮＡＣＫフィードバックを送信するための前記２つ以上の利用可能なフォーマットは、
ＣＢの１つまたは複数のバンドルに対するＨＡＲＱ  ＡＣＫ／ＮＡＣＫフィードバックを提供する第３のフォーマットをさらに備える、
［Ｃ６］に記載の方法。
［Ｃ９］
前記第３のフォーマットは、ＣＢの各バンドル中のＣＢの数と、バンドル中のＣＢがＮＡＣＫフィードバックを有するＣＢの前記バンドルの数と、ＮＡＣＫフィードバックを有するＣＢのバンドルの組合せを識別するインデックスとのインジケーションを提供する、
［Ｃ８］に記載の方法。
［Ｃ１０］
前記ＨＡＲＱ  ＡＣＫ／ＮＡＣＫフィードバックを送信するための前記２つ以上の利用可能なフォーマットは、
ＣＢの２つ以上のバンドルに関連する専用ビットを有する第４のフォーマットをさらに備える、
［Ｃ６］に記載の方法。
［Ｃ１１］
前記ＨＡＲＱ  ＡＣＫ／ＮＡＣＫフィードバックを送信するための前記フォーマットは、ＮＡＣＫフィードバックを有するＣＢの数に少なくとも部分的に基づいて動的に選択される、
［Ｃ１］に記載の方法。
［Ｃ１２］
前記ＨＡＲＱ  ＡＣＫ／ＮＡＣＫフィードバックを送信するための前記フォーマットは、前記複数のＣＢの前記送信に関連するチャネル状態に少なくとも部分的に基づいて半静的に選択される、
［Ｃ１］に記載の方法。
［Ｃ１３］
前記ＨＡＲＱ  ＡＣＫ／ＮＡＣＫフィードバックを送信するための前記フォーマットは、無線リソース制御（ＲＲＣ）シグナリングを使用してシグナリングされる、
［Ｃ１２］に記載の方法。
［Ｃ１４］
前記フォーマットを選択することは、
ＲＲＣシグナリングを使用してシグナリングされるフォーマットのグループから前記フォーマットを選択することをさらに備える、
［Ｃ１２］に記載の方法。
［Ｃ１５］
前記送信は、
前記選択されたフォーマットのインジケーションをさらに備える、
［Ｃ１］に記載の方法。
［Ｃ１６］
前記２つ以上の利用可能なフォーマットから第１のフォーマットを選択することと、
前記第１のフォーマットについて、前記ＣＢの数がＣＢのしきい値数よりも少ないのかどうかを決定すること、ここにおいて、前記識別は、前記選択と前記決定とに少なくとも部分的に基づく、と
をさらに備える、［Ｃ１］に記載の方法。
［Ｃ１７］
前記２つ以上の利用可能なフォーマットから第２のフォーマットを選択することと、
前記第２のフォーマットのための前記ＣＢの数がＣＢの前記しきい値数を満たすかまたはそれを超えると決定すること、ここにおいて、前記識別は、前記第２のフォーマットのための前記ＣＢの数が前記ＣＢしきい値を満たすかそれを超えるという前記決定の後に行われる、と
をさらに備える、［Ｃ１６］に記載の方法。
［Ｃ１８］
ワイヤレスデバイスにおける通信の方法であって、
受信された送信中で複数のコードブロック（ＣＢ）を受信することと、
前記複数のＣＢのうちの各ＣＢに対するハイブリッド自動再送要求（ＨＡＲＱ）肯定応答／否定応答（ＡＣＫ／ＮＡＣＫ）フィードバックを決定することと、
ＮＡＣＫフィードバックを有するＣＢまたはＣＢのバンドルの数と、ＮＡＣＫフィードバックを有するＣＢまたはＣＢのバンドルの組合せを識別するインデックスとのインジケーションを提供するフォーマットを使用して前記ＨＡＲＱ  ＡＣＫ／ＮＡＣＫフィードバックを送信することと
を備える、方法。
［Ｃ１９］
ワイヤレスデバイスにおける通信の方法であって、
受信機に複数のコードブロック（ＣＢ）を送信することと、
前記複数のＣＢのうちの各ＣＢに対するハイブリッド自動再送要求（ＨＡＲＱ）肯定応答／否定応答（ＡＣＫ／ＮＡＣＫ）フィードバックを受信することと、
２つ以上の利用可能なフォーマットから、前記ＨＡＲＱ  ＡＣＫ／ＮＡＣＫフィードバックのフォーマットを識別することと、
前記受信されたＨＡＲＱ  ＡＣＫ／ＮＡＣＫフィードバックに少なくとも部分的に基づいて前記複数のＣＢのうちの１つまたは複数のＣＢが再送信されるべきであると決定することと
を備える、方法。
［Ｃ２０］
前記ＨＡＲＱ  ＡＣＫ／ＮＡＣＫフィードバックの前記フォーマットを前記識別することは、前記ＨＡＲＱ  ＡＣＫ／ＮＡＣＫフィードバックのブラインド復号を備える、
［Ｃ１９］に記載の方法。
［Ｃ２１］
前記ＨＡＲＱ  ＡＣＫ／ＮＡＣＫフィードバックの前記フォーマットを識別することは、前記ＨＡＲＱ  ＡＣＫ／ＮＡＣＫフィードバックに基づく、
［Ｃ１９］に記載の方法。
［Ｃ２２］
前記複数のＣＢのうちの１つまたは複数のＣＢが再送信されるべきであると前記決定することは、
前記受信されたＡＣＫ／ＮＡＣＫフィードバックに対して圧縮解除、アンバンドリング、またはその両方を実行することによってＮＡＣＫフィードバックを有する前記ＣＢを決定すること、ここにおいて、前記圧縮解除、前記アンバンドリング、またはその両方が、前記識別されたフォーマットに少なくとも部分的に基づいて決定される、
を備える、［Ｃ１９］に記載の方法。
［Ｃ２３］
前記２つ以上の利用可能なフォーマットは、非圧縮フォーマットと１つまたは複数の圧縮フォーマットとを備え、前記１つまたは複数の圧縮フォーマットは、前記複数のＣＢのうちの各送信されたＣＢについてのＡＣＫ／ＮＡＣＫ情報を搬送することが可能である、
［Ｃ１９］に記載の方法。
［Ｃ２４］
サポートされるフォーマットのグループを受信することと、
サポートされるフォーマットの前記グループからフォーマットのグループを選択することと、
ＲＲＣシグナリングを使用してフォーマットの前記グループを送信することと
をさらに備える、［Ｃ１９］に記載の方法。
［Ｃ２５］
ワイヤレスデバイスにおけるワイヤレス通信のための装置であって、
受信された送信中で複数のコードブロック（ＣＢ）を受信するための手段と、
前記複数のＣＢのうちの各ＣＢに対するハイブリッド自動再送要求（ＨＡＲＱ）肯定応答／否定応答（ＡＣＫ／ＮＡＣＫ）フィードバックを決定するための手段と、
２つ以上の利用可能なフォーマットから、前記ＨＡＲＱ  ＡＣＫ／ＮＡＣＫフィードバックを送信するためのフォーマットを識別するための手段と、
前記識別されたフォーマットを使用して前記ＨＡＲＱ  ＡＣＫ／ＮＡＣＫフィードバックを送信するための手段と
を備える、装置。
［Ｃ２６］
前記ＨＡＲＱ  ＡＣＫ／ＮＡＣＫフィードバックを送信するための前記フォーマットを識別するための前記手段は、
前記複数のＣＢのためのＮＡＣＫの数を決定するための手段と、
前記複数のＣＢ中のＣＢの数を決定するための手段と、
前記ＮＡＣＫの数と前記ＣＢの数とに少なくとも部分的に基づいて前記ＨＡＲＱ  ＡＣＫ／ＮＡＣＫフィードバックを送信するための前記フォーマットを識別するための手段と
を備える、［Ｃ２５］に記載の装置。
［Ｃ２７］
前記２つ以上の利用可能なフォーマットは、非圧縮フォーマットと１つまたは複数の圧縮フォーマットとを備える、
［Ｃ２６］に記載の装置。
［Ｃ２８］
前記非圧縮フォーマットは、前記ＣＢの数がＣＢのしきい値数よりも少ないときに前記ＨＡＲＱ  ＡＣＫ／ＮＡＣＫフィードバックを送信するための前記フォーマットとして識別され、前記１つまたは複数の圧縮フォーマットのうちの１つは、前記ＣＢイズの数がＣＢの前記しきい値数を満たすかまたはそれを超えるときに前記ＨＡＲＱ  ＡＣＫ／ＮＡＣＫフィードバックを送信するための前記フォーマットとして識別される、
［Ｃ２７］に記載の装置。
［Ｃ２９］
ＣＢの前記しきい値数は、前記ＨＡＲＱ  ＡＣＫ／ＮＡＣＫフィードバックの送信のための利用可能なリソースに基づいて決定される、
［Ｃ２８］に記載の装置。
［Ｃ３０］
前記ＨＡＲＱ  ＡＣＫ／ＮＡＣＫフィードバックを送信するための前記２つ以上の利用可能なフォーマットは、
各ＣＢに関連する専用ビットを有する第１のフォーマットと、
ＮＡＣＫフィードバックを有するＣＢの数とＮＡＣＫフィードバックを有するＣＢの組合せを識別するインデックスとのインジケーションを提供する第２のフォーマットと
を備える、［Ｃ２５］に記載の装置。
［Ｃ３１］
前記第２のフォーマットは、前記ＣＢの数よりも少ない複数のビットを含む、
［Ｃ３０］に記載の装置。
［Ｃ３２］
前記ＨＡＲＱ  ＡＣＫ／ＮＡＣＫフィードバックを送信するための前記２つ以上の利用可能なフォーマットは、
ＣＢの１つまたは複数のバンドルに対するＨＡＲＱ  ＡＣＫ／ＮＡＣＫフィードバックを提供する第３のフォーマットをさらに備える、
［Ｃ３０］に記載の装置。
［Ｃ３３］
前記第３のフォーマットは、ＣＢの各バンドル中のＣＢの数と、バンドル中のＣＢがＮＡＣＫフィードバックを有するＣＢの前記バンドルの数と、ＮＡＣＫフィードバックを有するＣＢのバンドルの組合せを識別するインデックスとのインジケーションを提供する、
［Ｃ３２］に記載の装置。
［Ｃ３４］
前記ＨＡＲＱ  ＡＣＫ／ＮＡＣＫフィードバックを送信するための前記２つ以上の利用可能なフォーマットは、
ＣＢの２つ以上のバンドルに関連する専用ビットを有する第４のフォーマットをさらに備える、
［Ｃ３０］に記載の装置。
［Ｃ３５］
前記ＨＡＲＱ  ＡＣＫ／ＮＡＣＫフィードバックを送信するための前記フォーマットは、ＮＡＣＫフィードバックを有するＣＢの数に少なくとも部分的に基づいて動的に選択される、
［Ｃ２５］に記載の装置。
［Ｃ３６］
前記ＨＡＲＱ  ＡＣＫ／ＮＡＣＫフィードバックを送信するための前記フォーマットは、前記複数のＣＢの前記送信に関連するチャネル状態に少なくとも部分的に基づいて半静的に選択される、
［Ｃ２５］に記載の装置。
［Ｃ３７］
前記ＨＡＲＱ  ＡＣＫ／ＮＡＣＫフィードバックを送信するための前記フォーマットは、無線リソース制御（ＲＲＣ）シグナリングを使用してシグナリングされる、
［Ｃ３６］に記載の装置。
［Ｃ３８］
前記フォーマットを前記選択するための手段は、
ＲＲＣシグナリングを使用してシグナリングされるフォーマットのグループから前記フォーマットを選択するための手段をさらに備える、
［Ｃ３６］に記載の装置。
［Ｃ３９］
前記２つ以上の利用可能なフォーマットから第１のフォーマットを選択するための手段と、
前記第１のフォーマットについて、前記ＣＢの数がＣＢのしきい値数よりも少ないのかどうかを決定するための手段、ここにおいて、前記識別は、前記選択と前記決定とに少なくとも部分的に基づく、と
をさらに備える、［Ｃ２５］に記載の装置。
［Ｃ４０］
前記２つ以上の利用可能なフォーマットから第２のフォーマットを選択するための手段と、
前記第２のフォーマットのための前記ＣＢの数がＣＢの前記しきい値数を満たすかまたはそれを超えると決定するための手段、ここにおいて、前記識別は、前記第２のフォーマットのための前記ＣＢの数が前記ＣＢしきい値を満たすかそれを超えるという前記決定の後に行われる、と
をさらに備える、［Ｃ３９］に記載の装置。
［Ｃ４１］
前記送信するための手段は、
前記選択されたフォーマットのインジケーションをさらに備える、
［Ｃ２５］に記載の装置。
［Ｃ４２］
ワイヤレスデバイスにおけるワイヤレス通信のための装置であって、
受信された送信中で複数のコードブロック（ＣＢ）を受信するための手段と、
前記複数のＣＢのうちの各ＣＢに対するハイブリッド自動再送要求（ＨＡＲＱ）肯定応答／否定応答（ＡＣＫ／ＮＡＣＫ）フィードバックを決定するための手段と、
ＮＡＣＫフィードバックを有するＣＢまたはＣＢのバンドルの数と、ＮＡＣＫフィードバックを有するＣＢまたはＣＢのバンドルの組合せを識別するインデックスとのインジケーションを提供するフォーマットを使用して前記ＨＡＲＱ  ＡＣＫ／ＮＡＣＫフィードバックを送信するための手段と
を備える、装置。
［Ｃ４３］
ワイヤレスデバイスにおけるワイヤレス通信のための装置であって、
受信機に複数のコードブロック（ＣＢ）を送信するための手段と、
前記複数のＣＢのうちの各ＣＢに対するハイブリッド自動再送要求（ＨＡＲＱ）肯定応答／否定応答（ＡＣＫ／ＮＡＣＫ）フィードバックを受信するための手段と、
２つ以上の利用可能なフォーマットから、前記ＨＡＲＱ  ＡＣＫ／ＮＡＣＫフィードバックのフォーマットを識別するための手段と、
前記受信されたＨＡＲＱ  ＡＣＫ／ＮＡＣＫフィードバックに少なくとも部分的に基づいて前記複数のＣＢのうちの１つまたは複数のＣＢが再送信されるべきであると決定するための手段と
を備える、装置。
［Ｃ４４］
前記ＨＡＲＱ  ＡＣＫ／ＮＡＣＫフィードバックの前記フォーマットを前記識別するための手段は、前記ＨＡＲＱ  ＡＣＫ／ＮＡＣＫフィードバックのブラインド復号のための手段を備える、
［Ｃ４３］に記載の装置。
［Ｃ４５］
前記複数のＣＢのうちの１つまたは複数のＣＢが再送信されるべきであると前記決定するための手段は、
前記ＨＡＲＱ  ＡＣＫ／ＮＡＣＫフィードバック中で示されるＮＡＣＫの数を決定するための手段と、
ＮＡＣＫフィードバックを有するＣＢの組合せを識別するインデックスを決定するための手段と、
前記インデックス．に基づいてＮＡＣＫフィードバックを有するＣＢを決定するための手段と、
前記インデックスに基づいてＮＡＣＫフィードバックを有する前記バンドルを決定するための手段と
を備える、［Ｃ４３］に記載の装置。
［Ｃ４６］
前記２つ以上の利用可能なフォーマットは、非圧縮フォーマットと１つまたは複数の圧縮フォーマットとを備え、前記１つまたは複数の圧縮フォーマットは、前記複数のＣＢのうちの各送信されたＣＢについてのＡＣＫ／ＮＡＣＫ情報を搬送することが可能である、
［Ｃ４３］に記載の装置。
［Ｃ４７］
ワイヤレスデバイスにおける通信のための装置であって、
プロセッサと、
前記プロセッサと電子通信しているメモリと、
前記メモリ中に記憶された命令と
を備え、前記命令は、
受信された送信中で複数のコードブロック（ＣＢ）を受信することと、
前記複数のＣＢのうちの各ＣＢに対するハイブリッド自動再送要求（ＨＡＲＱ）肯定応答／否定応答（ＡＣＫ／ＮＡＣＫ）フィードバックを決定することと、
２つ以上の利用可能なフォーマットから、前記ＨＡＲＱ  ＡＣＫ／ＮＡＣＫフィードバックを送信するためのフォーマットを識別することと、
前記識別されたフォーマットを使用して前記ＨＡＲＱ  ＡＣＫ／ＮＡＣＫフィードバックを送信することと
を行うように前記プロセッサによって実行可能である、装置。
［Ｃ４８］
前記命令は、
前記複数のＣＢのためのＮＡＣＫの数を決定することと、
前記複数のＣＢ中のＣＢの数を決定することと、
前記ＮＡＣＫの数と前記ＣＢの数とに少なくとも部分的に基づいて前記ＨＡＲＱ  ＡＣＫ／ＮＡＣＫフィードバックを送信するための前記フォーマットを識別することと
を行うように前記プロセッサによってさらに実行可能である、［Ｃ４７］に記載の装置。
［Ｃ４９］
前記２つ以上の利用可能なフォーマットは、非圧縮フォーマットと１つまたは複数の圧縮フォーマットとを備える、［Ｃ４８］に記載の装置。
［Ｃ５０］
前記非圧縮フォーマットは、前記ＣＢの数がＣＢのしきい値数よりも少ないときに前記ＨＡＲＱ  ＡＣＫ／ＮＡＣＫフィードバックを送信するための前記フォーマットとして識別され、前記１つまたは複数の圧縮フォーマットのうちの１つは、前記ＣＢイズの数がＣＢの前記しきい値数を満たすかまたはそれを超えるときに前記ＨＡＲＱ  ＡＣＫ／ＮＡＣＫフィードバックを送信するための前記フォーマットとして識別される、
［Ｃ４９］に記載の装置。
［Ｃ５１］
ＣＢの前記しきい値数が、前記ＨＡＲＱ  ＡＣＫ／ＮＡＣＫフィードバックの送信のための利用可能なリソースに基づいて決定される、
［Ｃ５０］に記載の装置。
［Ｃ５２］
前記ＨＡＲＱ  ＡＣＫ／ＮＡＣＫフィードバックを送信するための前記２つ以上の利用可能なフォーマットは、
各ＣＢに関連する専用ビットを有する第１のフォーマットと、
ＮＡＣＫフィードバックを有するＣＢの数とＮＡＣＫフィードバックを有するＣＢの組合せを識別するインデックスとのインジケーションを提供する第２のフォーマットと
を備える、［Ｃ４７］に記載の装置。
［Ｃ５３］
前記第２のフォーマットは、前記ＣＢの数よりも少ない複数のビットを含む、
［Ｃ５２］に記載の装置。
［Ｃ５４］
前記ＨＡＲＱ  ＡＣＫ／ＮＡＣＫフィードバックを送信するための前記２つ以上の利用可能なフォーマットは、
ＣＢの１つまたは複数のバンドルに対するＨＡＲＱ  ＡＣＫ／ＮＡＣＫフィードバックを提供する第３のフォーマットをさらに備える、
［Ｃ５２］に記載の装置。
［Ｃ５５］
前記第３のフォーマットは、ＣＢの各バンドル中のＣＢの数と、バンドル中のＣＢがＮＡＣＫフィードバックを有するＣＢの前記バンドルの数と、ＮＡＣＫフィードバックを有するＣＢのバンドルの組合せを識別するインデックスとのインジケーションを提供する、
［Ｃ５４］に記載の装置。
［Ｃ５６］
前記ＨＡＲＱ  ＡＣＫ／ＮＡＣＫフィードバックを送信するための前記２つ以上の利用可能なフォーマットは、
ＣＢの２つ以上のバンドルに関連する専用ビットを有する第４のフォーマットをさらに備える、
［Ｃ５２］に記載の装置。
［Ｃ５７］
前記ＨＡＲＱ  ＡＣＫ／ＮＡＣＫフィードバックを送信するための前記フォーマットは、ＮＡＣＫフィードバックを有するＣＢの数に少なくとも部分的に基づいて動的に選択される、
［Ｃ４７］に記載の装置。
［Ｃ５８］
前記ＨＡＲＱ  ＡＣＫ／ＮＡＣＫフィードバックを送信するための前記フォーマットは、前記複数のＣＢの前記送信に関連するチャネル状態に少なくとも部分的に基づいて半静的に選択される、
［Ｃ４７］に記載の装置。
［Ｃ５９］
前記ＨＡＲＱ  ＡＣＫ／ＮＡＣＫフィードバックを送信するための前記フォーマットは、無線リソース制御（ＲＲＣ）シグナリングを使用してシグナリングされる、
［Ｃ５８］に記載の装置。
［Ｃ６０］
前記フォーマットを選択することは、
ＲＲＣシグナリングを使用してシグナリングされるフォーマットのグループから前記フォーマットを選択することをさらに備える、
［Ｃ５８］に記載の装置。
［Ｃ６１］
前記命令は、
前記２つ以上の利用可能なフォーマットから第１のフォーマットを選択することと、
前記第１のフォーマットについて、前記ＣＢの数がＣＢのしきい値数よりも少ないのかどうかを決定すること、ここにおいて、前記識別が、前記選択と前記決定とに少なくとも部分的に基づく、と
を行うように前記プロセッサによってさらに実行可能である、［Ｃ４７］に記載の装置。
［Ｃ６２］
前記命令は、
前記２つ以上の利用可能なフォーマットから第２のフォーマットを選択することと、
前記第２のフォーマットのための前記ＣＢの数がＣＢの前記しきい値数を満たすかまたはそれを超えると決定すること、ここにおいて、前記識別が、前記第２のフォーマットのための前記ＣＢの数が前記ＣＢしきい値を満たすかそれを超えるという前記決定の後に行われる、と
を行うように前記プロセッサによってさらに実行可能である、［Ｃ６１］に記載の装置。
［Ｃ６３］
前記送信は、
前記選択されたフォーマットのインジケーションをさらに備える、
［Ｃ４７］に記載の装置。
［Ｃ６４］
ワイヤレスデバイスにおける通信のための装置であって、
プロセッサと、
前記プロセッサと電子通信しているメモリと、
前記メモリ中に記憶された命令と
を備え、前記命令は、
受信された送信中で複数のコードブロック（ＣＢ）を受信することと、
前記複数のＣＢのうちの各ＣＢに対するハイブリッド自動再送要求（ＨＡＲＱ）肯定応答／否定応答（ＡＣＫ／ＮＡＣＫ）フィードバックを決定することと、
ＮＡＣＫフィードバックを有するＣＢまたはＣＢのバンドルの数と、ＮＡＣＫフィードバックを有するＣＢまたはＣＢのバンドルの組合せを識別するインデックスとのインジケーションを提供するフォーマットを使用して前記ＨＡＲＱ  ＡＣＫ／ＮＡＣＫフィードバックを送信することと
を行うように前記プロセッサによって実行可能である、装置。
［Ｃ６５］
ワイヤレスデバイスにおける通信のための装置であって、
プロセッサと、
前記プロセッサと電子通信しているメモリと、
前記メモリ中に記憶された命令と
を備え前記命令は、
受信機に複数のコードブロック（ＣＢ）を送信することと、
前記複数のＣＢのうちの各ＣＢに対するハイブリッド自動再送要求（ＨＡＲＱ）肯定応答／否定応答（ＡＣＫ／ＮＡＣＫ）フィードバックを受信することと、
２つ以上の利用可能なフォーマットから、前記ＨＡＲＱ  ＡＣＫ／ＮＡＣＫフィードバックのフォーマットを識別することと、
前記受信されたＨＡＲＱ  ＡＣＫ／ＮＡＣＫフィードバックに少なくとも部分的に基づいて前記複数のＣＢのうちの１つまたは複数のＣＢが再送信されるべきであると決定することと
を行うように前記プロセッサによって実行可能である、装置。
［Ｃ６６］
前記ＨＡＲＱ  ＡＣＫ／ＮＡＣＫフィードバックの前記フォーマットを前記識別することは、前記ＨＡＲＱ  ＡＣＫ／ＮＡＣＫフィードバックのブラインド復号を備える、
［Ｃ６５］に記載の装置。
［Ｃ６７］
前記命令は、
前記ＨＡＲＱ  ＡＣＫ／ＮＡＣＫフィードバック中で示されるＮＡＣＫの数を決定することと、
ＮＡＣＫフィードバックを有するＣＢの組合せを識別するインデックスを決定することと、
前記インデックスに基づいてＮＡＣＫフィードバックを有するＣＢを決定することと
を行うように前記プロセッサによってさらに実行可能である、［Ｃ６５］に記載の装置。
［Ｃ６８］
前記２つ以上の利用可能なフォーマットは、非圧縮フォーマットと１つまたは複数の圧縮フォーマットとを備え、前記１つまたは複数の圧縮フォーマットは、前記複数のＣＢのうちの各送信されたＣＢについてのＡＣＫ／ＮＡＣＫ情報を搬送することが可能である、
［Ｃ６５］に記載の装置。
［Ｃ６９］
ワイヤレスデバイスにおける通信のためのコードを記憶する非一時的コンピュータ可読媒体であって、前記コードが、
受信された送信中で複数のコードブロック（ＣＢ）を受信することと、
前記複数のＣＢのうちの各ＣＢに対するハイブリッド自動再送要求（ＨＡＲＱ）肯定応答／否定応答（ＡＣＫ／ＮＡＣＫ）フィードバックを決定することと、
２つ以上の利用可能なフォーマットから、前記ＨＡＲＱ  ＡＣＫ／ＮＡＣＫフィードバックを送信するためのフォーマットを識別することと、
前記識別されたフォーマットを使用して前記ＨＡＲＱ  ＡＣＫ／ＮＡＣＫフィードバックを送信することと
を行うように実行可能な命令を備える、非一時的コンピュータ可読媒体。
［Ｃ７０］
ワイヤレスデバイスにおける通信のためのコードを記憶する非一時的コンピュータ可読媒体であって、前記コードが、
受信された送信中で複数のコードブロック（ＣＢ）を受信することと、
前記複数のＣＢのうちの各ＣＢに対するハイブリッド自動再送要求（ＨＡＲＱ）肯定応答／否定応答（ＡＣＫ／ＮＡＣＫ）フィードバックを決定することと、
ＮＡＣＫフィードバックを有するＣＢまたはＣＢのバンドルの数と、ＮＡＣＫフィードバックを有するＣＢまたはＣＢのバンドルの組合せを識別するインデックスとのインジケーションを提供するフォーマットを使用して前記ＨＡＲＱ  ＡＣＫ／ＮＡＣＫフィードバックを送信することと
を行うように実行可能な命令を備える、非一時的コンピュータ可読媒体。
［Ｃ７１］
ワイヤレスデバイスにおける通信のためのコードを記憶する非一時的コンピュータ可読媒体であって、前記コードが、
受信機に複数のコードブロック（ＣＢ）を送信することと、
前記複数のＣＢのうちの各ＣＢに対するハイブリッド自動再送要求（ＨＡＲＱ）肯定応答／否定応答（ＡＣＫ／ＮＡＣＫ）フィードバックを受信することと、
２つ以上の利用可能なフォーマットから、前記ＨＡＲＱ  ＡＣＫ／ＮＡＣＫフィードバックのフォーマットを識別することと、
前記受信されたＨＡＲＱ  ＡＣＫ／ＮＡＣＫフィードバックに少なくとも部分的に基づいて前記複数のＣＢのうちの１つまたは複数のＣＢが再送信されるべきであると決定することと
を行うように実行可能な命令を備える、非一時的コンピュータ可読媒体。